【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
（ａ）（ｉ）内容積を有する内部チャネルを画定する内部表面を有する外壁と、（ｉｉ）該内部表面から内部チャネルへ突き出た（protruding）少なくとも１つの内壁とを含む熱可塑性パネル、および
（ｂ）前記チャネル内に配置された疎水性エーロゲル粒子を含む、半透明の（translucent）グレイジング（glazing）パネル。
【請求項２】
内壁は、少なくとも２つの異なる点で内部表面を横切り、外壁と内壁は少なくとも第２の内部チャネルを画定し、第２の内部チャネルは内容積を有する請求項１の半透明グレイジングパネル。
【請求項３】
熱可塑性樹脂は、ポリカーボネート、ポリエチレン、ポリ（メチルメタクリレート）、ポリ（塩化ビニル）、およびこれらの混合物からなる群から選択される熱可塑性樹脂を含む請求項１または２の半透明グレイジングパネル。
【請求項４】
疎水性エーロゲル粒子は、レソルシノール−ホルムアルデヒドエーロゲル粒子、メラミン−ホルムアルデヒドエーロゲル粒子、およびこれらの組合せからなる群から選択される有機エーロゲル粒子である請求項１〜３のいずれかの半透明グレイジングパネル。
【請求項５】
疎水性エーロゲル粒子は、シリカエーロゲル粒子、チタニアエーロゲル粒子、アルミナエーロゲル粒子、およびこれらの組合せからなる群から選択される金属酸化物エーロゲル粒子である請求項１〜４のいずれかの半透明グレイジングパネル。
【請求項６】
（ａ）（ｉ）第１の熱可塑性シートと、（ｉｉ）第２の熱可塑性シートと、（ｉｉｉ）２つ以上の支持部材とを含む熱可塑性パネルであって；該支持部材は第１の熱可塑性シートと第２の熱可塑性シートの間に配置され、支持部材は第１および第２の熱可塑性シートの間に配置された少なくとも１つのチャネルを画定し、チャネルは内容積を有するもの、および
（ｂ）チャネル内に配置された疎水性エーロゲル粒子を含む、半透明グレイジングパネル。
【請求項７】
第１の熱可塑性シートは第２の熱可塑性シートは実質的に互いに平行である請求項６の半透明グレイジングパネル。
【請求項８】
熱可塑性パネルは第３の熱可塑性シートを更に含む請求項６または７の半透明グレイジングパネルであって、第３の熱可塑性シートは第１の熱可塑性シートと第２の熱可塑性シートとの間に配置され、かつ支持部材は第１および第２の熱可塑性シートの間に配置された少なくとも２列のチャネルを画定する、上記半透明グレイジングパネル。
【請求項９】
熱可塑性樹脂は、ポリカーボネート、ポリエチレン、ポリ（メチルメタクリレート）、ポリ（塩化ビニル）、およびこれらの混合物からなる群から選択される熱可塑性樹脂を含む請求項６〜８のいずれかの半透明グレイジングパネル。
【請求項１０】
疎水性エーロゲル粒子は、レソルシノール−ホルムアルデヒドエーロゲル粒子、メラミン−ホルムアルデヒドエーロゲル粒子、およびこれらの組合せからなる群から選択される有機エーロゲル粒子である請求項６〜９のいずれかの半透明グレイジングパネル。
【請求項１１】
疎水性エーロゲル粒子は、シリカエーロゲル粒子、チタニアエーロゲル粒子、アルミナエーロゲル粒子、およびこれらの組合せからなる群から選択される金属酸化物エーロゲル粒子である請求項６〜１０のいずれかの半透明グレイジングパネル。
【請求項１２】
（ａ）そこから少なくとも２つの脚が延びたベースを含む第１のＵ型のガラス要素、
（ｂ）そこから少なくとも２つの脚が延びたベースを含む第２のＵ型のガラス要素であって、第１の要素と第２の要素はその間の空洞を画定するように配置されている要素、
（ｃ）空洞内に配置された断熱パネルであって、内容積を有する内部チャネルを画定する外壁を含む断熱パネル、および
（ｄ）内部チャネル内に配置された疎水性エーロゲル粒子を含む、断熱（insulated）グレイジングシステム。
【請求項１３】
外壁は内部表面を有し、少なくとも１つの内壁は内部表面から内部チャネルに突き出ている請求項１２の断熱グレイジングシステム。
【請求項１４】
内壁は少なくとも２つの異なる点で内部表面を横切り、外壁と内壁は少なくとも少なくとも第２の内部チャネルを画定し、第２の内部チャネルは内容積を有する請求項１３の断熱グレイジングシステム。
【請求項１５】
熱可塑性樹脂は、ポリカーボネート、ポリエチレン、ポリ（メチルメタクリレート）、ポリ（塩化ビニル）、およびこれらの混合物からなる群から選択される請求項１４の断熱グレイジングシステム。
【請求項１６】
疎水性エーロゲル粒子は、レソルシノール−ホルムアルデヒドエーロゲル粒子、メラミン−ホルムアルデヒドエーロゲル粒子、およびこれらの組合せからなる群から選択される有機エーロゲル粒子である請求項１２〜１５のいずれかの断熱グレイジングシステム。
【請求項１７】
疎水性エーロゲル粒子は、シリカエーロゲル粒子、チタニアエーロゲル粒子、アルミナエーロゲル粒子、およびこれらの組合せからなる群から選択される金属酸化物エーロゲル粒子である請求項１２〜１６のいずれかの断熱グレイジングシステム。
【請求項１８】
（ａ）そこから少なくとも２つの脚が延びたベースを含む第１のＵ型の要素、
（ｂ）そこから少なくとも２つの脚が延びたベースを含む第２のＵ型の要素で、第１の要素と第２の要素はその間の空洞を画定するように配置されている要素、および
（ｃ）空洞内に配置された断熱パネルであって、（ｉ）内容積を有する内部チャネルを画定する内部表面を有する外壁と、（ｉｉ）内部表面から内部チャネルへ突き出た少なくとも１つの内壁とを含む断熱パネルであって；外壁と内壁は熱可塑性樹脂から一体成形されるもの、を含む断熱グレイジングシステム。
【請求項１９】
内壁は少なくとも２つの異なる点で内部表面を横切り、外壁と内壁は少なくとも第２の内部チャネルを画定し、第２の内部チャネルは内容積を有する請求項１８の断熱グレイジングシステム。
【請求項２０】
断熱グレイジングシステムは、内部チャネル内に配置された疎水性エーロゲル粒子を更に含む請求項１８または１９の断熱グレイジングシステム。
【請求項２１】
疎水性エーロゲル粒子は、レソルシノール−ホルムアルデヒドエーロゲル粒子、メラミン−ホルムアルデヒドエーロゲル粒子、およびこれらの組合せからなる群から選択される有機エーロゲル粒子である請求項１９または２０の断熱グレイジングシステム。
【請求項２２】
疎水性エーロゲル粒子は、シリカエーロゲル粒子、チタニアエーロゲル粒子、アルミナエーロゲル粒子、およびこれらの組合せからなる群から選択される金属酸化物エーロゲル粒子である請求項１９または２０の断熱グレイジングシステム。
【請求項２３】
（ａ）そこから少なくとも２つの脚が延びたベースを含む第１のＵ型の要素、
（ｂ）そこから少なくとも２つの脚が延びたベースを含む第２のＵ型の要素で、第１の要素と第２の要素はその間の空洞を画定するように配置されている要素、および
（ｃ）空洞内に配置された断熱パネルであって、（ｉ）第１の熱可塑性シートと、（ｉｉ）第２の熱可塑性シートであって、第１の熱可塑性シートと第２の熱可塑性シートは実質的に互いに平行であるものと、（ｉｉｉ）少なくとも２つの支持部材であって、該支持部材は第１および第２の熱可塑性シートとの間に配置され、支持部材は第１および第２の熱可塑性シートとの間に配置された少なくとも１つのチャネルを画定するもの、を含む断熱グレイジングシステム。
【請求項２４】
熱可塑性樹脂は、ポリカーボネート、ポリエチレン、ポリ（メチルメタクリレート）、ポリ（塩化ビニル）、およびこれらの混合物からなる群から選択される請求項２３の断熱グレイジングシステム。
【請求項２５】
断熱グレイジングシステムは、チャネル内に配置された疎水性エーロゲル粒子を更に含む請求項２３または２４の断熱グレイジングシステム。
【請求項２６】
疎水性エーロゲル粒子は、レソルシノール−ホルムアルデヒドエーロゲル粒子、メラミン−ホルムアルデヒドエーロゲル粒子、およびこれらの組合せからなる群から選択される有機エーロゲル粒子である請求項２５の断熱グレイジングシステム。
【請求項２７】
疎水性エーロゲル粒子は、シリカエーロゲル粒子、チタニアエーロゲル粒子、アルミナエーロゲル粒子、およびこれらの組合せからなる群から選択される金属酸化物エーロゲル粒子である請求項２５の断熱グレイジングシステム。
【請求項２８】
断熱グレイジングシステムは、第１および第２の要素の隣接部分の間に配置された少なくとも１つの密閉剤を更に含む請求項２３〜２７のいずれかの断熱グレイジングシステム。
【請求項２９】
密閉剤はシリコーンを含む請求項２８の断熱グレイジングシステム。
【請求項３０】
密閉剤はシリコーンガスケットを含む請求項２９の断熱グレイジングシステム。
【請求項３１】
断熱パネルは周囲を有し、密閉剤は断熱パネルの周囲の少なくとも一部に貼付される請求項２８〜３０のいずれかの断熱グレイジングシステム。
【請求項３２】
密閉剤の少なくとも一部は、断熱パネルと第１および第２の要素の少なくとも１つとの間に配置される請求項２８〜３０のいずれかの断熱グレイジングシステム。
【請求項３３】
第１および第２の要素により画定される空洞は長さと幅とを有し、断熱パネルは空洞の長さと幅と実質的に同様に広がる請求項２３〜３２のいずれかの断熱グレイジングシステム。
【手続補正２】
【補正対象書類名】明細書
【補正対象項目名】全文
【補正方法】変更
【補正の内容】
【発明の詳細な説明】
【発明の名称】断熱パネルとこれを含むグレイジングシステム
【技術分野】
【０００１】
本発明は、断熱パネルとこれを含むグレイジングシステムに関する。
【背景技術】
【０００２】
室内の照明条件や密閉空間の美観を改善するために、建築士や建築業者は、多量の光沢材料やシステム（例えば、窓、天窓、および透明および半透明の壁や屋根）を使用する建物を建設し始めている。かかる光沢材料の使用は室内照明の質を劇的に改善できるが、比較的多量のかかる光沢材料を取り込む建物は、断熱が不充分であることが多い。更に詳しくは従来の光沢材料の伝熱性は典型的には、従来の建築材料または構造体（例えば木造屋根や壁）の伝熱性より遙かに大きい。従って比較的多量のかかる光沢材料を取り込んだ建物の全体的な伝熱性は、これらの使用の少ない類似の構造体よりはるかに大きく、かかる建物はしばしば光沢材料を介して多量の熱の流出を経験し、これは、住人が快適であると考えるレベルに建物内の環境を維持するコストを劇的に上昇させる。従って、従来の光沢材料やシステムの比較的不充分な（すなわち、高い）伝熱性に取り組むためのいくつかの試みがなされている。
【０００３】
例えば２つのガラスまたは熱可塑性表面の間に空気スペースを取り込む光沢材料やシステム（例えば窓）が開発されている。かかるよく知られた光沢材料の１つは、一般的に「重ね合わせパネル」と呼ばれる。これらの重ね合わせパネルは典型的には、２つの熱可塑性シートと、熱可塑性シートの間に配置された複数の支持部材を含む。熱可塑性シートおよび支持部材は一緒に、熱可塑性シートと支持部材の間に配置された複数のチャンバーを規定する。気体は固体材料（例えばガラスや熱可塑性樹脂）より伝熱性が低いため、チャンバー内の気体は、パネルを介する伝熱性を低下および／または遅延させるのに有用な断熱層を与える。かかる重ね合わせパネルは従来の１枚板の光沢材料より改善された（すなわち低い）伝熱性を示すが、パネルはパネルの大きな表面を介して温度および／または湿度の差に暴露されるため、チャンバー内でしばしば結露が起きる。かかる結露により提供される湿潤環境は、パネルのチャンバー内でカビやウドンコカビの成長を促進することがある。更に重ね合わせパネルの構造はしばしば、パネルが不均一に可視光線を反射し、これは、光沢材料としてパネルを取り込む構造体の室内の照明品質に悪い影響を与える。
【０００４】
従来の光沢材料やシステムに比較して改善された（すなわち、低い）伝熱性を与える別のグレイジングシステムは、一般に２重光沢ＵプロフィールまたはＵチャネルガラスと呼ばれる。これらのグレイジングシステムは典型的には、２つの要素の間でチャンバーを形成するような方法で配置された一対のＵ型ガラス要素を含む。このチャネル内に含有された気体はグレイジングシステム（すなわち２つのガラス要素）を通過する伝熱を遅延させるが、グレイジングシステムは典型的には、２つの要素の間に形成されたチャンバー内に配置された断熱材料を更に含む。最も一般的に使用されている断熱材料は、２つのガラス繊維にカバーされた複数のアクリル（例えば、ポリ（メチルメタクリレート））毛細管からなる剛性パネルである。パネルが、その端がガラス繊維マットでカバーされたハニカム構造に似るように、個々のアクリル毛細管が実質的に平行方向に配置される。これらの剛性の断熱パネルはしばしば、これを取り込んだグレイジングシステムの伝熱性を劇的に改善（すなわち、低下）することができる。
【０００５】
しかしグレイジングシステムの改善された伝熱性により節約したコストはしばしば、かかる断熱パネルの設置に関連する比較的高い人件費で部分的に相殺されてしまう。例えば、断熱パネルは極めて壊れやすく、その比較的大きなサイズ（例えば、最大約６メートルまたはそれ以上の長さ）のために設置中に頻繁に破損される。かかる破損により生成する破片（例えば、ガラス繊維）は、断熱パネルを設置する作業員の環境的危険となるため、入念に除去する必要がある。更に断熱パネルは典型的には、他のガラス要素が設置される前にガラス要素（例えば、建物の外に面するガラス要素）の１つに接着される。かかる配置では、断熱パネルは、パネルが接着するガラス要素上に形成される結露の除去を妨害する。前記したように、かかる結露により提供される湿潤環境は、ガラス要素により形成されるチャンバー内のカビやウドンコカビの成長を促進することができる。
【発明の開示】
【発明が解決しようとする課題】
【０００６】
従って、その両方が既存の断熱光沢材料とシステムに関連する前記および他の問題に取り組む、光沢材料としての使用に適した断熱パネルおよびかかる断熱パネルを含むグレイジングシステムに対するニーズが存在する。本発明は、かかる断熱パネルとグレイジングシステムとを提供する。本発明のこれらのおよび他の利点、ならびに追加の本発明の特徴は、本明細書の記載から明らかであろう。
【課題を解決するための手段】
【０００７】
本発明は、（ａ）（ｉ）内容積を有する内部チャネルを画定する内部表面を有する外壁と、（ｉｉ）内部表面から内部チャネルへ突き出た少なくとも１つの内壁とを含む熱可塑性パネル、および（ｂ）チャネル内に配置された疎水性エーロゲル粒子を含む、好ましくは半透明のグレイジングパネルを提供する。
【０００８】
本発明は更に、（ａ）（ｉ）第１の熱可塑性シートと、（ｉｉ）第２の熱可塑性シートと、（ｉｉｉ）２つ以上の支持部材とを含む熱可塑性パネル（支持部材は第１の熱可塑性シートと第２の熱可塑性シートの間に配置され、支持部材は第１および第２の熱可塑性シートの間に配置された少なくとも１つのチャネルを画定し、チャネルは内容積を有する）、および（ｂ）チャネル内に配置された疎水性エーロゲル粒子を含む、好ましくは半透明のグレイジングパネルを提供する。
【０００９】
本発明はまた、（ａ）第１の要素であって、好ましくはそこから少なくとも２つの脚が延びたベースを含むＵ型のガラス要素、（ｂ）第２の要素であって、好ましくはそこから少なくとも２つの脚が延びたベースを含むＵ型のガラス要素であって、第１の要素と第２の要素はその間の空洞を画定するように配置されている要素、（ｃ）空洞内に配置された断熱パネルであって、内容積を有する内部チャネルを画定する外壁を含む断熱パネル、および（ｄ）内部チャネル内に配置された疎水性エーロゲル粒子を含む、断熱グレイジングシステムを提供する。
【００１０】
本発明は更に、（ａ）第１の要素であって、好ましくはそこから少なくとも２つの脚が延びたベースを含むＵ型のガラス要素、（ｂ）第２の要素であって、好ましくはそこから少なくとも２つの脚が延びたベースを含むＵ型のガラス要素で、第１の要素と第２の要素はその間の空洞を画定するように配置されている要素、（ｃ）空洞内に配置された断熱パネルであって、（ｉ）内容積を有する内部チャネルを画定する内部表面を有する外壁と、（ｉｉ）内部表面から内部チャネルへ突き出た少なくとも１つの内壁とを含む断熱パネル（外壁と内壁は熱可塑性樹脂から一体成形される）を含む、断熱グレイジングシステムを提供する。
【００１１】
本発明は、（ａ）第１の要素であって、好ましくはそこから少なくとも２つの脚が延びたベースを含むＵ型のガラス要素、（ｂ）第２の要素であって、好ましくはそこから少なくとも２つの脚が延びたベースを含むＵ型のガラス要素で、第１の要素と第２の要素はその間の空洞を画定するように配置されている要素、（ｃ）空洞内に配置された断熱パネルであって、（ｉ）第１の熱可塑性シートと、（ｉｉ）第２の熱可塑性シート（第１の熱可塑性シートと第２の熱可塑性シートは実質的に互いに平行である）と、（ｉｉｉ）少なくとも２つの支持部材（支持部材は第１の熱可塑性シートと第２の熱可塑性シートとの間に配置され、支持部材は第１の熱可塑性シートと第２の熱可塑性シートとの間に配置された少なくとも１つのチャネルを画定する）とを含む断熱パネル、を含む断熱グレイジングシステムを提供する。
【００１２】
本発明は、例えば、以下の態様を含む。
【００１３】
［１］  （ａ）（ｉ）内容積を有する内部チャネルを画定する内部表面を有する外壁と、（ｉｉ）該内部表面から内部チャネルへ突き出た（protruding）少なくとも１つの内壁とを含む熱可塑性パネル、および
【００１４】
（ｂ）前記チャネル内に配置された疎水性エーロゲル粒子を含む、半透明の（translucent）グレイジング（glazing）パネル。
【００１５】
［２］  内壁は、少なくとも２つの異なる点で内部表面を横切り、外壁と内壁は少なくとも第２の内部チャネルを画定し、第２の内部チャネルは内容積を有する［１］の半透明グレイジングパネル。
【００１６】
［３］  外壁と内壁は熱可塑性樹脂で一体成形される（unitarily formed）［１］または［２］の半透明グレイジングパネル。
【００１７】
［４］  熱可塑性樹脂は、ポリカーボネート、ポリエチレン、ポリ（メチルメタクリレート）、ポリ（塩化ビニル）、およびこれらの混合物からなる群から選択される熱可塑性樹脂を含む［１］〜［３］のいずれかの半透明グレイジングパネル。
【００１８】
［５］  熱可塑性樹脂はポリカーボネートを含む［４］の半透明グレイジングパネル。
【００１９】
［６］  チャネルの内容積の実質的に全てが疎水性エーロゲル粒子で満たされる［１］〜［５］のいずれかの半透明グレイジングパネル。
【００２０】
［７］  疎水性エーロゲル粒子は、レソルシノール−ホルムアルデヒドエーロゲル粒子、メラミン−ホルムアルデヒドエーロゲル粒子、およびこれらの組合せからなる群から選択される有機エーロゲル粒子である［１］〜［６］のいずれかの半透明グレイジングパネル。
【００２１】
［８］  疎水性エーロゲル粒子は、シリカエーロゲル粒子、チタニアエーロゲル粒子、アルミナエーロゲル粒子、およびこれらの組合せからなる群から選択される金属酸化物エーロゲル粒子である［１］〜［６］のいずれかの半透明グレイジングパネル。
【００２２】
［９］  疎水性エーロゲル粒子はシリカエーロゲル粒子である［８］の半透明グレイジングパネル。
【００２３】
［１０］  半透明グレイジングパネルはヘイズ（haze）値が約５０％またはそれ以上である［１］〜［９］のいずれかの半透明グレイジングパネル。
【００２４】
［１１］  半透明グレイジングパネルはヘイズ値が約７５％またはそれ以上である［１０］の半透明グレイジングパネル。
【００２５】
［１２］  （ａ）（ｉ）第１の熱可塑性シートと、（ｉｉ）第２の熱可塑性シートと、（ｉｉｉ）２つ以上の支持部材とを含む熱可塑性パネルであって；該支持部材は第１の熱可塑性シートと第２の熱可塑性シートの間に配置され、支持部材は第１および第２の熱可塑性シートの間に配置された少なくとも１つのチャネルを画定し、チャネルは内容積を有するもの、および
【００２６】
（ｂ）チャネル内に配置された疎水性エーロゲル粒子を含む、半透明グレイジングパネル。
【００２７】
［１３］  第１の熱可塑性シートは第２の熱可塑性シートは実質的に互いに平行である［１２］の半透明グレイジングパネル。
【００２８】
［１４］  第１の熱可塑性シート、第２の熱可塑性シート、および支持部材は熱可塑性樹脂から一体成形される［１２］または［１３］の半透明グレイジングパネル。
【００２９】
［１５］  熱可塑性パネルは第３の熱可塑性シートを更に含む［１２］〜［１４］のいずれかの半透明グレイジングパネルであって、第３の熱可塑性シートは第１の熱可塑性シートと第２の熱可塑性シートとの間に配置され、かつ支持部材は第１および第２の熱可塑性シートの間に配置された少なくとも２列のチャネルを画定する、上記半透明グレイジングパネル。
【００３０】
［１６］  チャネルは内容積を有し、チャネルの列の１つの各チャネルの内容積の少なくとも一部は疎水性エーロゲル粒子で満たされた［１５］の半透明グレイジングパネル。
【００３１】
［１７］  第１および第２の熱可塑性シートは、約３０ｍｍ未満離れている［１２］〜［１６］のいずれかの半透明グレイジングパネル。
【００３２】
［１８］  熱可塑性樹脂は、ポリカーボネート、ポリエチレン、ポリ（メチルメタクリレート）、ポリ（塩化ビニル）、およびこれらの混合物からなる群から選択される熱可塑性樹脂を含む［１２］〜［１７］のいずれかの半透明グレイジングパネル。
【００３３】
［１９］  熱可塑性樹脂はポリカーボネートを含む［１８］の半透明グレイジングパネル。
【００３４】
［２０］  チャネルの内容積の実質的に全ては疎水性エーロゲル粒子で満たされる［１２］〜［１８］のいずれかの半透明グレイジングパネル。
【００３５】
［２１］  疎水性エーロゲル粒子は、レソルシノール−ホルムアルデヒドエーロゲル粒子、メラミン−ホルムアルデヒドエーロゲル粒子、およびこれらの組合せからなる群から選択される有機エーロゲル粒子である［１２］〜［２０］のいずれかの半透明グレイジングパネル。
【００３６】
［２２］  疎水性エーロゲル粒子は、シリカエーロゲル粒子、チタニアエーロゲル粒子、アルミナエーロゲル粒子、およびこれらの組合せからなる群から選択される金属酸化物エーロゲル粒子である［１２］〜［２０］のいずれかの半透明グレイジングパネル。
【００３７】
［２３］  疎水性エーロゲル粒子はシリカエーロゲル粒子である［２２］の半透明グレイジングパネル。
【００３８】
［２４］  半透明グレイジングパネルはヘイズ値が約５０％またはそれ以上である［１２］〜［２３］のいずれかの半透明グレイジングパネル。
【００３９】
［２５］  半透明グレイジングパネルはヘイズ値が約７５％またはそれ以上である［２４］の半透明グレイジングパネル。
【００４０】
［２６］  （ａ）そこから少なくとも２つの脚が延びたベースを含む第１のＵ型のガラス要素、
【００４１】
（ｂ）そこから少なくとも２つの脚が延びたベースを含む第２のＵ型のガラス要素であって、第１の要素と第２の要素はその間の空洞を画定するように配置されている要素、
【００４２】
（ｃ）空洞内に配置された断熱パネルであって、内容積を有する内部チャネルを画定する外壁を含む断熱パネル、および
【００４３】
（ｄ）内部チャネル内に配置された疎水性エーロゲル粒子を含む、断熱（insulated）グレイジングシステム。
【００４４】
［２７］  断熱パネルの外壁は熱可塑性樹脂を含む［２６］の断熱グレイジングシステム。
【００４５】
［２８］  外壁は内部表面を有し、少なくとも１つの内壁は内部表面から内部チャネルに突き出ている［２６］または［２７］の断熱グレイジングシステム。
【００４６】
［２９］  内壁は少なくとも２つの異なる点で内部表面を横切り、外壁と内壁は少なくとも少なくとも第２の内部チャネルを画定し、第２の内部チャネルは内容積を有する［２８］の断熱グレイジングシステム。
【００４７】
［３０］  外壁と内壁は熱可塑性樹脂から一体成形される［２８］または［２９］の断熱グレイジングシステム。
【００４８】
［３１］  熱可塑性樹脂は、ポリカーボネート、ポリエチレン、ポリ（メチルメタクリレート）、ポリ（塩化ビニル）、およびこれらの混合物からなる群から選択される［３０］の断熱グレイジングシステム。
【００４９】
［３２］  熱可塑性樹脂はポリカーボネートを含む［３１］の断熱グレイジングシステム。
【００５０】
［３３］  チャネルの内容積の実質的に全ては疎水性エーロゲル粒子で満たされる［２６］〜［３２］のいずれかの断熱グレイジングシステム。
【００５１】
［３４］  疎水性エーロゲル粒子は、レソルシノール−ホルムアルデヒドエーロゲル粒子、メラミン−ホルムアルデヒドエーロゲル粒子、およびこれらの組合せからなる群から選択される有機エーロゲル粒子である［２６］〜［３３］のいずれかの断熱グレイジングシステム。
【００５２】
［３５］  疎水性エーロゲル粒子は、シリカエーロゲル粒子、チタニアエーロゲル粒子、アルミナエーロゲル粒子、およびこれらの組合せからなる群から選択される金属酸化物エーロゲル粒子である［［２６］〜［３３］のいずれかの断熱グレイジングシステム。
【００５３】
［３６］  疎水性エーロゲル粒子はシリカエーロゲル粒子である［３５］の断熱グレイジングシステム。
【００５４】
［３７］  （ａ）そこから少なくとも２つの脚が延びたベースを含む第１のＵ型の要素、
【００５５】
（ｂ）そこから少なくとも２つの脚が延びたベースを含む第２のＵ型の要素で、第１の要素と第２の要素はその間の空洞を画定するように配置されている要素、および
【００５６】
（ｃ）空洞内に配置された断熱パネルであって、（ｉ）内容積を有する内部チャネルを画定する内部表面を有する外壁と、（ｉｉ）内部表面から内部チャネルへ突き出た少なくとも１つの内壁とを含む断熱パネルであって；外壁と内壁は熱可塑性樹脂から一体成形されるもの、を含む断熱グレイジングシステム。
【００５７】
［３８］  内壁は少なくとも２つの異なる点で内部表面を横切り、外壁と内壁は少なくとも少なくとも第２の内部チャネルを画定し、第２の内部チャネルは内容積を有する［３７］の断熱グレイジングシステム。
【００５８】
［３９］  断熱グレイジングシステムは、内部チャネル内に配置された疎水性エーロゲル粒子を更に含む［３７］または［３８］の断熱グレイジングシステム。
【００５９】
［４０］  内部チャネルの内容積の実質的に全ては疎水性エーロゲル粒子で満たされる［３９］の断熱グレイジングシステム。
【００６０】
［４１］  疎水性エーロゲル粒子は、レソルシノール−ホルムアルデヒドエーロゲル粒子、メラミン−ホルムアルデヒドエーロゲル粒子、およびこれらの組合せからなる群から選択される有機エーロゲル粒子である［３９または４０］の断熱グレイジングシステム。
【００６１】
［４２］  疎水性エーロゲル粒子は、シリカエーロゲル粒子、チタニアエーロゲル粒子、アルミナエーロゲル粒子、およびこれらの組合せからなる群から選択される金属酸化物エーロゲル粒子である［３９または４０］の断熱グレイジングシステム。
【００６２】
［４３］  疎水性エーロゲル粒子はシリカエーロゲル粒子である［４２］の断熱グレイジングシステム。
【００６３】
［４４］  （ａ）そこから少なくとも２つの脚が延びたベースを含む第１のＵ型の要素、
【００６４】
（ｂ）そこから少なくとも２つの脚が延びたベースを含む第２のＵ型の要素で、第１の要素と第２の要素はその間の空洞を画定するように配置されている要素、および
【００６５】
（ｃ）空洞内に配置された断熱パネルであって、（ｉ）第１の熱可塑性シートと、（ｉｉ）第２の熱可塑性シートであって、第１の熱可塑性シートと第２の熱可塑性シートは実質的に互いに平行であるものと、（ｉｉｉ）少なくとも２つの支持部材であって、該支持部材は第１および第２の熱可塑性シートとの間に配置され、支持部材は第１および第２の熱可塑性シートとの間に配置された少なくとも１つのチャネルを画定するもの、を含む断熱グレイジングシステム。
【００６６】
［４５］  第１の熱可塑性シート、第２の熱可塑性シート、および支持部材は、熱可塑性樹脂から一体成形される［４４］の断熱グレイジングシステム。
【００６７】
［４６］  熱可塑性樹脂は、ポリカーボネート、ポリエチレン、ポリ（メチルメタクリレート）、ポリ（塩化ビニル）、およびこれらの混合物からなる群から選択される［４４］または［４５］の断熱グレイジングシステム。
【００６８】
［４７］  熱可塑性樹脂はポリカーボネートを含む［４６］の断熱グレイジングシステム。
【００６９】
［４８］  断熱グレイジングシステムは、チャネル内に配置された疎水性エーロゲル粒子を更に含む［４４］〜［４７］の断熱グレイジングシステム。
【００７０】
［４９］  内部チャネルの内容積の実質的に全ては疎水性エーロゲル粒子で満たされる［４８］の断熱グレイジングシステム。
【００７１】
［５０］  疎水性エーロゲル粒子は、レソルシノール−ホルムアルデヒドエーロゲル粒子、メラミン−ホルムアルデヒドエーロゲル粒子、およびこれらの組合せからなる群から選択される有機エーロゲル粒子である［４８］または［４９］の断熱グレイジングシステム。
【００７２】
［５１］  疎水性エーロゲル粒子は、シリカエーロゲル粒子、チタニアエーロゲル粒子、アルミナエーロゲル粒子、およびこれらの組合せからなる群から選択される金属酸化物エーロゲル粒子である［４８］または［４９］の断熱グレイジングシステム。
【００７３】
［５２］  疎水性エーロゲル粒子はシリカエーロゲル粒子である［５１］の断熱グレイジングシステム。
【００７４】
［５３］  断熱グレイジングシステムは、第１および第２の要素の隣接部分の間に配置された少なくとも１つの密閉剤を更に含む［４４］〜［５２］のいずれかの断熱グレイジングシステム。
【００７５】
［５４］  密閉剤はシリコーンを含む［５３］の断熱グレイジングシステム。
【００７６】
［５５］  密閉剤はシリコーンガスケットを含む［５４］の断熱グレイジングシステム。
【００７７】
［５６］  断熱パネルは周囲を有し、密閉剤は断熱パネルの周囲の少なくとも一部に貼付される［５３］〜［５５］のいずれかの断熱グレイジングシステム。
【００７８】
［５７］  密閉剤の少なくとも一部は、断熱パネルと第１および第２の要素の少なくとも１つとの間に配置される［５３］〜［５５］のいずれかの断熱グレイジングシステム。
【００７９】
［５８］  第１および第２の要素により画定される空洞は長さと幅とを有し、断熱パネルは空洞の長さと幅と実質的に同様に広がる［４４］〜［５７］のいずれかの断熱グレイジングシステム。
【００８０】
［５９］  断熱パネルは空洞の幅と同様に広がる［５８］の断熱グレイジングシステム。
【００８１】
［６０］  断熱パネルは第１または第２の要素に直接接触しない［４４］〜［５９］のいずれかの断熱グレイジングシステム。
【００８２】
［６１］  第１の要素のベースは第２の要素のベースと実質的に平行である［４４］〜［６０］のいずれかの断熱グレイジングシステム。
【００８３】
［６２］  第１の要素の脚は第２の要素の脚と実質的に平行である［４４］〜［６１］のいずれかの断熱グレイジングシステム。
【発明を実施するための最良の形態】
【００８４】
図面について、図１は、本発明の教示に従って組み立てたグレイジングパネル１００を示す。グレイジングパネル１００は長さを有し、内部表面１０４を有する外壁１０２を含む。外壁１０２は内部チャネル１０６を画定する。
【００８５】
本発明において、グレイジングパネルの断熱性、半透明、および耐湿性を最大にするために、パネル１００は好ましくは透明または半透明であり、内部チャネル内に配置された疎水性エーロゲル粒子１１０を含む。本開示の目的において、用語半透明は、透明材料と半透明材料および構造体の両方を記載するのに使用される。特定の理論に拘束はされないが、疎水性エーロゲル粒子の比較的大きな内容積はグレイジングパネルに断熱層を与え、こうして本発明のグレイジングパネルの伝熱性（すなわちＵ値）を低下させると考えられる。更に疎水性エーロゲル粒子の集合の凝集光分散性（例えば、チャネルまたはその一部内に含有される粒子）は、パネルを介して透過した可視光線の拡散に寄与し、こうしてパネルを通過する透過光の性質を改善し、光沢材料として使用する任意の構造体（例えば、窓、天窓、または構造的光沢要素）の内部照明を改善すると考えられる。最後に、疎水性エーロゲル粒子の疎水性は、グレイジングパネルの大きな表面を介する（例えば、本発明の半透明グレイジングパネルを取り込んだ窓の内部表面と外部表面を介する）温度および／または湿度の差にグレイジングパネルが暴露されるために起きる、本発明の半透明グレイジングパネルの内部表面上の結露の生成を、少なくとも部分的に防止すると考えられる。
【００８６】
本発明のグレイジングパネル内に含有される疎水性エーロゲル粒子は、任意の適切な疎水性エーロゲル粒子でよい。疎水性エーロゲル粒子は、有機エーロゲル粒子、無機エーロゲル粒子（例えば、金属酸化物エーロゲル粒子）、またはこれらの混合物を含むことができる。疎水性エーロゲル粒子が有機エーロゲル粒子を含む時、有機エーロゲル粒子は好ましくは、レソルシノール−ホルムアルデヒドエーロゲル粒子、メラミン−ホルムアルデヒドエーロゲル粒子、およびこれらの組合せからなる群から選択される。疎水性エーロゲル粒子が無機エーロゲル粒子を含む時、無機エーロゲル粒子は好ましくは、シリカエーロゲル粒子、チタニアエーロゲル粒子、アルミナエーロゲル粒子、およびこれらの組合せからなる群から選択される金属酸化物エーロゲル粒子である。最も好ましくは疎水性エーロゲル粒子はシリカエーロゲル粒子である。
【００８７】
内部チャネル１０６内のエーロゲル粒子の位置と分布を更に制御するために、パネル１００は好ましくは、図１に示すように１つ以上の内壁１０８を更に含む。内壁１０８は、外壁１０２の内部表面１０４から内部チャネル１０６に突き出て、内部チャネル１０６を少なくとも部分的に分離している。こうしてエーロゲル粒子１１０は、外壁１０２により形成される内部チャネル１０６の少なくとも一部内に配置されかつこれを満たす。本発明の好適な実施態様において、内部チャネル１０６の内容積の実質的に全てが、疎水性エーロゲル粒子１１０により満たされる。
【００８８】
好ましくはパネル１００は、外壁１０２の内部表面１０４から突き出た複数の内壁１０８（例えば、２つ以上の内壁）を含む。半透明グレイジングパネル１００が複数の内壁１０８を含む時、内壁１０８は任意の適切な構成で配置される。例えば図１において内壁１０８は、内壁１０８の単一のセクションから突き出て互いに隣接して配置される。逆に図２においては、外壁２０２の内部表面２０４の反対の部分から複数の内壁２０８が突き出る（一般に、本発明の種々の例示した実施態様において、同様の参照数値が使用される）。
【００８９】
内部チャネル１０６内でのエーロゲル粒子１１０の分布を更に制御するために、内部チャネル１０６の容量は更に複数のチャネルに分割される。図３に示すように、パネル３００の内壁３０８ａは、少なくとも２つの異なる点で外壁３０２の内部表面３０４を横切る。パネル３００は図３に示すように１つのかかる壁３０８ａを含み、その結果外壁３０２と内壁３０８ａが、内容積を有する２つの内部チャネル３０６、３１０を画定する。内壁３０８ａはパネル３００の実質的に全長に延びるかまたはその一部の長さだけ延びることを、当業者は理解するであろう。すなわち、内壁３０８ａが少なくともその一部の長さに沿って延びる場合、外壁３０２と内壁３０８ａは第１および第２の内部チャネル３０６、３１０を画定する。更に内壁３０８ａは、任意の断面構成を有することができる。例えばこれは曲がっていても、または角があってもよく、または１点でのみ内部表面３０４を横切る２つの内壁（例えば３０８）の関与により形成されてもよい。内壁はまた、３つまたはそれ以上の点で内部表面３０４を横切ってもよい。
【００９０】
パネル３００は同様に、外壁３０２の内部表面３０４から突き出た１つ以上の内壁３０８を含んでもよいが、例えば図１と２に示す壁１０８と２０８のように、少なくとも２つの別個の点で外壁３０２の内壁３０４を横切らない。疎水性エーロゲル粒子３１２は、内部チャネル３０６、３１０の内容積の少なくとも１つの中で配置され、好ましくは内部チャネル３０６、３１０の両方の内容積の少なくとも一部を満たす。本発明の好適な実施態様において内部チャネル３０６、３１０の内容積の実質的に全ては、疎水性エーロゲル粒子３１２で満たされる。内壁３０８ａは、内部チャネル３０６、３１０の間の粒子３１２の動きを妨害または阻害し、内壁３０８は更に、エーロゲル粒子３１２の位置を制御するが、あるチャネル３０６、３１０のおよびそれ自体の粒子３１２の動きを必ずしも妨害しない。
【００９１】
従ってパネル３００の内部構成は、１つの位置でのみ内部表面３０４を横切るかかる内壁３０８が有りまたは無しで、複数のかかるチャネル３０６、３１０を形成するように、パネル３００は、内部表面３０４を横切る複数のかかる内壁３０８ａを含んでよいことを、当業者は理解するであろう。例えば、パネル４００、５００は、それぞれ図４と５に示すように２つ以上の点で外壁の内部表面を横切る複数の内壁４０６、５０６、５１２を含んでよい。
【００９２】
更に詳しくは、図４に示すように例えば半透明グレイジングパネルは、第１の熱可塑性シート４０２、第２の熱可塑性シート４０４、および第１および第２の熱可塑性シート４０２、４０４の間に配置された２つ以上の支持部材４０６を含む。第１の熱可塑性シート４０２は好ましくは、第２の熱可塑性シート４０４と実質的に平行である。支持部材４０６は、第１および第２の熱可塑性シート４０２、４０４の間に配置された少なくとも１つのチャネル４０８を画定する。他の実施態様と同様に、グレイジングパネルは更に、支持部材４０６によりことことされる少なくとも１つの、好ましくは少なくとも一部または全てのチャネル４０８内に配置された疎水性エーロゲル粒子４１０を含む。
【００９３】
図５に示すように熱可塑性パネル５００は更に、第１の熱可塑性シート５０２と第２の熱可塑性シート５０４との間に配置された第３の熱可塑性シート５１２を含むことができ、第３の熱可塑性シート５１２と支持部材５０６とは、第１および第２の熱可塑性シート５０２、５０４の間に配置された少なくとも２列のチャネル５０８を画定する。図５に示すように、好ましくは第３の熱可塑性シート５１２は、第１および第２の熱可塑性シート５０２、５０４と実質的に平行である。疎水性エーロゲル粒子５１０は、第３の熱可塑性シート５１２と支持部材５０６とで形成されるチャネル５０８の少なくとも１つの、好ましくは一部または全ての中に配置される。最も好ましくは図６に示すように、第１、第２、および第３の熱可塑性シート５０２、５０４、５１２と支持部材５０６により画定されるチャネル５０８のそれぞれの内容積の実質的に全ては、疎水性エーロゲル粒子５１０により満たされる。
【００９４】
グレイジングパネルの外壁と内壁は、任意の適切な方法を使用して任意の適切な材料を用いて形成することができる。例えば図１について、外壁１０２と内壁１０８は、当該分野で公知の熱可塑性成形法（例えば、射出成形、押出し成形など）を使用して熱可塑性樹脂で一緒に形成される。あるいはグレイジングパネルは、後で組み立てられる別々に作成した成分を含むことができる。例えば外壁１０２は、第１の熱可塑性シート１１２、第２の熱可塑性シート１１４、および第１および第２の熱可塑性シート１１２、１１４の間に配置されて外壁１０２を形成する少なくとも２つの支持部材１１６を含む。かかる実施態様において、第１の熱可塑性シート１１２、第２の熱可塑性シート１１４、支持部材１１６、および内壁１０８は、接着剤、音波溶接、または壁の材料を含む２つ以上の物品を接続するのに適した任意の他の方法を使用して接続される。
【００９５】
他の実施態様について、同様の製造法を使用してもよい。例えば図４の実施態様において、全パネル４００は射出成形されるか押出しされる。あるいはグレイジングパネル４００の第１の熱可塑性シート４０２、第２の熱可塑性シート４０４、および支持部材４０６を、任意の適切な方法を使用して作成し、次に接着剤、音波溶接、または壁の材料を含む２つ以上の物品を接続するのに適した任意の他の方法を使用して接続される。
【００９６】
熱可塑性パネルは好ましくは、任意の適切な熱可塑性樹脂を含む。適切な熱可塑性樹脂は、好ましくは比較的高い機械的強度を示し、大きな温度勾配に耐えることができる。パネルの熱可塑性樹脂は好ましくは、ポリカーボネート、ポリエチレン、ポリ（メチルメタクリレート）、ポリ（塩化ビニル）、およびこれらの混合物からなる群から選択される熱可塑性樹脂を含む。最も好ましくはパネルの熱可塑性樹脂はポリカーボネートを含む。
【００９７】
本発明のグレイジングパネルは、任意の適切なサイズおよび／または形で提供することができる。典型的にはグレイジングパネルは、従来のグレイジングシステム（例えば、窓、天窓など）で使用されるガラス様光沢材料（例えばガラス）を交換するのに使用することができる。従って本発明のグレイジングパネルは、約１００ｍｍ未満の厚さを有する。図１に示すようにグレイジングパネルが外壁とその表面から突き出た少なくとも１つの内壁を含む時、グレイジングパネル１００の厚さを形成する外壁１０２の反対の表面は典型的には、約１００ｍｍ未満、好ましくは約５０ｍｍ未満、更に好ましくは約３０ｍｍ未満により分離される。あるいは、例えば図４に示すようにグレイジングパネルが第１の熱可塑性シートと第２の熱可塑性シートとを含む時、第１の熱可塑性シート４０２と第２の熱可塑性シート４０４は典型的には、約１ｃｍ未満、好ましくは約５０ｍｍ未満、更に好ましくは約３０ｍｍ未満により分離される。
【００９８】
本発明のグレイジングパネルを透過した可視光線の品質は好ましくは、疎水性エーロゲル粒子で満たされていない同様のグレイジングパネルを透過した可視光線より拡散している。特に本発明のグレイジングパネルは好ましくは、疎水性エーロゲル粒子で満たされていない同様のグレイジングパネルより改良されたヘイズ値（ｈａｚｅ  ｖａｌｕｅ）（例えばより高いヘイズ値）を示す。ヘイズ値は、光沢材料（例えば、透明または半透明のプラスチック）のような材料の平面状切片の長さ透過性と広角光分散性の測定値である。ヘイズ値は、ＡＳＴＭ基準Ｄ１００３（標題「透明プラスチックの曇りおよび半透明の標準的試験法」）により規定されており、そこに記載の方法により測定することができる。本明細書において用語「ヘイズ値」は、ＡＳＴＭ基準Ｄ１００３に従って規定され測定されたグレイジングパネルのヘイズ値を示す。好ましくは本発明の半透明グレイジングパネルは、ヘイズ値が約５０％またはそれ以上、更に好ましくは約７５％またはそれ以上である。
【００９９】
本発明の他の態様において、例えば図１〜６に示すように本発明のグレイジングパネルは、いわゆるＵチャネルガラスグレイジングシステムまたは他の適切なグレイジングシステム中に取り込まれる。図７について断熱グレイジングシステム７００は、その間の空洞７１４を画定する要素７０２、７０８を含む。例示された実施態様において一対の長いＵ型のガラス要素７０２、７０８が提供される。第２のＵ型のガラス要素７０２は、そこから少なくとも２つの脚７０６が延びるベース７０４を含み、第２のＵ型要素７０８は、そこから少なくとも２つの脚７１２が延びるベース７１０を含む。要素７０２、７０８は交互の構造を有してもよいことを理解されたい。例えばこれらはそれぞれ「Ｌ型」構造を有するか、または１つが「Ｕ型」構造を有しもう１つが長い平面構造（これはＵ型構造の内部チャネルをカバーしてその間に長い空洞を形成する）を有してもよい。すなわち本発明はかかるＵ型のガラス要素を含めることに限定されず、かかるＵ型のガラス要素を利用する構造体の以下の説明は、別の形または断面の長い要素にも等しく適用される。
【０１００】
組み立てにおいて第１および第２のガラス要素７０２、７０８は、その間の空洞７１４を画定するように配置される。Ｕ型のガラス要素７０２、７０８の脚７０６、７１２は、図７の実施態様のジグザグ配置で配置されるが、第１および第２のガラス要素７０２、７０８は、空洞を画定する任意の適切な方法で配置できることを理解されたい。例えば第１のガラス要素の脚は第２のガラス要素のベースに隣接して配置され、こうして第１のガラス要素のベースと脚および第２のガラス要素のベースにより拘束される空洞を画定する。改変第１および第２のガラス要素の制御の末端は互いに隣接して配置され、こうして第１および第２のガラス要素のベースと脚により拘束される空洞を画定する。交互の可能な断面型のガラス要素構造は、空洞を画定する種々の方法で同様に配置される。
【０１０１】
本発明の教示に従うグレイジングシステム７００は、第１および第２のガラス要素７０２、７０８により形成される空洞７１４内に配置された断熱パネル７１６を更に含む。本発明のグレイジングシステムの断熱パネルは、任意の適切な大きさを有することができる。上記したように断熱パネル７１６は、好ましくは疎水性エーロゲル粒子７２２を含む内部チャネル７２０を画定する外壁７１８を含む。典型的には、内部チャネル７２０の内容積の少なくとも一部、好ましくは実質的に全ては疎水性エーロゲル粒子７２２により満たされる。断熱パネル自体の構造は、任意の適切なデザインでよい。例えば図１の断熱パネル１００の構造は、図８に示すようにグレイジングシステム８００中に含めることができる；図４の断熱パネル４００は図１０のグレイジングシステム１０００内に含めることができる；または図５の断熱パネル５００は、図１１のグレイジングシステム１１００内に含めることができる。しかし断熱パネル９１６は、例えば図９に開示したような交互のデザインを有してもよいことを理解されたい。
【０１０２】
図１２で組み立てにおいて第１および第２のガラス要素１２０２、１２０８は、その間の空洞１２１４を画定するように配置される。本実施態様の第１および第２のガラス要素１２０２、１２０８はＵ型であり、ベース１２０４、１２０８から延びるそれぞれ脚１２０６、１２１２を含む。第１および第２のガラス要素１２０２、１２０８の間の伝熱を低下させるために、本発明の断熱グレイジングシステムは好ましくは、第１および第２のガラス要素１２０２、１２０８の隣接部分の少なくとも一部の間に配置された少なくとも１つの密閉剤１２２８を含む。図１２に記載のように密閉剤１２２８は典型的には、第１および第２のＵ型ガラス要素１２０２、１２０８の内部に配置された脚１２０６、１２１２の遠い先端１２０６ａ、１２１２ａを囲むように配置される。こうして密閉剤１２２８は、近くに配置された脚１２０６、１２１２のみではなく、内部に配置された脚２０６、１２１２およびベース１２０６、１２１２の遠い先端１２０６ａ、１２１２ａの間の密封を与える。しかし密閉剤１２２８は交互に配置できることを理解されたい。
【０１０３】
更に、断熱パネルと第１および第２のガラス要素との熱伝達を最小にするかまたは防止するために、断熱パネルの周囲の少なくとも一部に密閉剤を接着することができる。図１３に記載のように密閉剤１３２８は断熱パネル４００の周囲に貼付され、こうして第１および第２のガラス要素１３０２、１３０８の隣接する脚１３０６、１３１２から断熱パネル４００を分離かつ単離する。
【０１０４】
あるいは密閉剤は、第１および第２のガラス要素のベースから断熱パネルを分離かつ単離するように、断熱パネルの周囲に貼付することができる。好ましくは密閉剤の少なくとも一部は、断熱パネルと第１および第２のガラス要素の少なくとも１つとの間に配置される。本発明のグレイジングシステムのかかる実施態様の好適な例は、図１４に記載される。特に密閉剤１４２８は、断熱パネル４００と第１および第２のガラス要素１４０２、１４０８の隣接する脚１４０６、１４１２との間に配置される。記載のように密閉剤１４２８は更に、第１および第２のガラス要素１４０２、１４０８の隣接した脚１４０６、１４１２の間、ならびにガラス要素の脚１４０６、１４１２の隣接する一部、および他のガラス要素のベース１４０４、１４１０の間に配置される。断熱パネルは好ましくは、図７〜１４に示すガラス要素の内部表面から離れて配置されることを当業者は理解するであろう。こうして、断熱パネルのガラス要素または外表面の一方または両方の内部表面上からの結露がある場合、結露はこの間に集まるより表面に沿って流れることができる。
【０１０５】
密閉剤は任意の適切な材料を含むことができる。適切な密閉剤には特に限定されないが、シリコーン（例えば、シリコーン充填材、シリコーン接着剤、シリコーンガスケット）、ポリマー密閉剤（例えば、ポリエチレンガスケット）などがある。好ましくは密閉剤はシリコーン、更に好ましくはシリコーンガスケットを含む。
【０１０６】
断熱グレイジングシステムは任意の適切な順序で組み立てることができる。例えば最初のガラス要素を置き、その間に断熱パネルを配置し、次に第１のガラス要素を置く。あるいはガラス要素を一緒に組み立て、次にガラス要素の間の空洞に断熱パネルを挿入する。
【０１０７】
モジュールグレイジングシステムの作成で使用される本発明の教示の断熱グレイジングシステムは、例えば図１５に示される。かかるモジュール構成で、断熱パネルを封入したガラス要素の個々の部分的に組み立てたモジュールが提供され、断熱パネルを有するガラス要素の部分的組み立てたモジュールは次にその培地で組み立てられて、延長した光沢構造を形成する。特にモジュールグレイジングシステム１５００は、そこから少なくとも２つの脚１５０６が延が延びるベース１５０４を含む第１のＵ型のガラス要素１５０２、およびそこから少なくとも２つの脚１５１２が延びるベース１５１０を含む第２のＵ型のガラス要素１５０８を含む。第１および第２のガラス要素１５０２、１５０８はその間に空洞１５１４を画定するように配置される。グレイジングシステム１５００は更に、第１および第２のガラス要素１５０２、１５０８により形成される空洞１５１４内に配置された断熱パネル１５１６を含む。断熱パネル１５１６は、本発明の断熱グレイジングシステムについて上記した任意の断熱パネルを含む。記載のように断熱パネル１５１６は、第１の熱可塑性シート１５１８、第２の熱可塑性シート１５２０、および少なくとも２つの支持部材１５２２を含む。支持部材１５２２は、第１および第２の熱可塑性シート１５１８、１５２０の間に配置される少なくとも１つのチャネル１５２４を画定するように、第１および第２の熱可塑性シート１５１８、１５２０の間に配置される。グレイジングシステム１５００の伝熱性を改良（すなわち低下）するために、グレイジングシステムは更に、支持部材１５２２により形成されるチャネル１５２４の少なくとも１つの中に配置された疎水性エーロゲル粒子１５２６を含む。好ましくは、チャネル１５２４の１つの内容積の少なくとも一部は、疎水性エーロゲル粒子１５２６で満たされる。更に好ましくは、チャネル１５２４の少なくとも１つの内容積の実質的に全て、疎水性エーロゲル粒子１５２６で満たされる。更に好ましくは、チャネル１５２４のそれぞれの内容積の少なくとも一部（または実質的に全て）は、疎水性エーロゲル粒子１５２６で満たされる。グレイジングシステム１５００は更に、断熱パネル１５１６と第１および第２のガラス要素１５０２、１５０８の隣接部分との間に配置された少なくとも１つの密閉剤１５２８を含むことができる。ガラス要素間の接触を防ぐために、密閉剤１５２８は好ましくは第１および第２のガラス要素の隣接部分の間に配置される（例えば、第１および第２のガラス要素１５０２、１５０８の脚１５０６、１５１２と他のガラス要素のベース１５０４の間）。
【０１０８】
要約すると、グレイジングシステムの伝熱性を最小にするために、断熱パネルは好ましくは、第１および第２のガラス要素により画定される空洞の長さと幅と実質的に同様に広がる（例えば、断熱パネルの長さと幅は空洞の長さと幅と実質的に同じである）。更に好ましくは断熱パネルは空洞と同様に広がる（例えば、空洞の幅とパネルの幅との差は、パネルが空洞中に挿入され、断熱パネルと空洞を形成するガラス要素の隣接表面との間に配置された密閉剤を収容することを可能にするのに必要な量に限定される）。しかし上記したように、断熱パネルは好ましくは第１および第２のガラス要素に直接接触しない。断熱パネルとガラス要素との接触は、任意の適切な方法により防止できるが、密閉剤は好ましくは断熱パネルと第１および第２のガラス要素との間に配置される。
【０１０９】
グレイジングシステムの断熱パネル内に含有される疎水性エーロゲル粒子は、任意の疎水性エーロゲル粒子でよい。疎水性エーロゲル粒子は、有機エーロゲル粒子、無機エーロゲル粒子（例えば、金属酸化物エーロゲル粒子）、またはこれらの混合物を含むことができる。疎水性エーロゲル粒子が有機エーロゲル粒子を含む時、有機エーロゲル粒子は好ましくは、レソルシノール−ホルムアルデヒドエーロゲル粒子、メラミン−ホルムアルデヒドエーロゲル粒子、およびこれらの組合せからなる群から選択される。疎水性エーロゲル粒子が無機エーロゲル粒子を含む時、無機エーロゲル粒子は好ましくは、シリカエーロゲル粒子、チタニアエーロゲル粒子、アルミナエーロゲル粒子、およびこれらの組合せからなる群から選択される金属酸化物エーロゲル粒子である。最も好ましくは疎水性エーロゲル粒子はシリカエーロゲル粒子である。
【０１１０】
以下の例は本発明を更に例示するが、本発明の範囲を決して限定するものではない。
【実施例】
【０１１１】
実施例１
本例は、疎水性エーロゲル粒子を含まない他のグレイジングパネルと比較して、本発明のグレイジングパネルが示す改良されたＵ値（すなわち、低い伝熱性）を示す。１１個の同様の半透明グレイジングパネルについて補正したＵ値を測定した。それぞれのグレイジングパネルは、第１のポリカーボネートシート、第２のポリカーボネートシート、および第１および第２のポリカーボネートシートの間に配置された複数のチャネルを画定するために第１および第２のポリカーボネートシートの間に配置された複数の支持部材を含有した。
【０１１２】
グレイジングパネル１Ａ（比較）と１Ｂ（本発明）は約１０ｍｍの厚さであることが測定され、グレイジングパネル１Ｂ（本発明）はパネルのチャネル内に配置された疎水性エーロゲル粒子を含有した。
【０１１３】
グレイジングパネル１Ｃ〜１Ｅは約１６ｍｍの厚さであることが測定され、第１および第２のポリカーボネートシートの間にかつこれと平行に配置された第３のポリカーボネートシートを含有し、こうして第１および第２のポリカーボネートシートの間に２列のチャネルが配置された。グレイジングパネル１Ｃ（比較）は疎水性エーロゲル粒子を含有しなかった。グレイジングパネル１Ｄ（本発明）は、第１および第２のポリカーボネートシートとの間に配置された両方の列のチャネル内に配置された疎水性エーロゲル粒子を含有し、グレイジングパネル１Ｅ（本発明）は第１および第２のポリカーボネートシートとの間に配置された１列のみのチャネル内に配置された疎水性エーロゲル粒子を含有した。
【０１１４】
グレイジングパネル１Ｆ〜１Ｈは約２０ｍｍの厚さであることが測定され、第１および第２のポリカーボネートシートの間にかつこれと平行に配置された第３のポリカーボネートシートを含有し、こうして第１および第２のポリカーボネートシートの間に２列のチャネルが配置された。グレイジングパネル１Ｆ（比較）は疎水性エーロゲル粒子を含有しなかった。グレイジングパネル１Ｇ（本発明）は、第１および第２のポリカーボネートシートとの間に配置された両方の列のチャネル内に配置された疎水性エーロゲル粒子を含有し、グレイジングパネル１Ｈ（本発明）は第１および第２のポリカーボネートシートとの間に配置された１列のみのチャネル内に配置された疎水性エーロゲル粒子を含有した。
【０１１５】
グレイジングパネル１Ｉ〜１Ｋは約２５ｍｍの厚さであることが測定され、第１および第２のポリカーボネートシートの間にかつこれと平行に配置された第３のポリカーボネートシートを含有し、こうして第１および第２のポリカーボネートシートの間に２列のチャネルが配置された。グレイジングパネル１Ｉ（比較）は疎水性エーロゲル粒子を含有しなかった。グレイジングパネル１Ｊ（本発明）は、第１および第２のポリカーボネートシートとの間に配置された両方の列のチャネル内に配置された疎水性エーロゲル粒子を含有し、グレイジングパネル１Ｋ（本発明）は第１および第２のポリカーボネートシートとの間に配置された１列のみのチャネル内に配置された疎水性エーロゲル粒子を含有した。
【０１１６】
各グレイジングシステムのＵ値は、ＡＳＴＭ基準Ｃ５１８−９８（標題「熱フローメーター装置を用いる定常状態伝熱性の標準的試験法」）に従って測定した。次にこれらの測定から得られたＵ値を、２００１  ＡＳＨＲＡＥ  基礎ハンドブック（２００１  ASHRAE Fundamentals Handbook）の第３０章に記載のガイドラインに従って、空気膜熱耐性を考慮して補正した。これらの測定と補正により得られたグレイジングパネル１Ａ〜１Ｋの補正Ｕ値を、以下の表１に示す。
【０１１７】
表１．  グレイジングパネル１Ａ〜１Ｋの満たされたチャネルの厚さ、充填物詳細、列、および補正Ｕ値
【表１】
2007507633.tif 000001
【０１１８】
表１のデータは、本発明のグレイジングパネルが、疎水性エーロゲル粒子を含有しない同様のグレイジングパネルより低いＵ値（すなわち低い伝熱性）を示すことを証明する。特にチャネル内に配置された疎水性エーロゲル粒子を含有しないグレイジングパネルは、チャネル内またはチャネルの少なくとも１つの列に配置された疎水性エーロゲル粒子を含む同様のグレイジングパネルより、少なくとも約２０％高い補正Ｕ値を示す。実際グレイジングパネル１Ｉ（比較）は、グレイジングパネル１Ｊ（本発明）の補正Ｕ値より約８５％大きい補正Ｕ値を示した。
【０１１９】
実施例２
本例は、疎水性エーロゲル粒子を含有しない他のグレイジングパネルと比較して、本発明のグレイジングパネルが示す改良された光分散性（すなわち高いヘイズ値）を証明する。６個の同様の半透明グレイジングパネル（グレイジングパネル２Ａ〜２Ｆ）を測定して、各パネルのヘイズ値を測定した。各グレイジングパネルは、第１のポリカーボネートシート、第２のポリカーボネートシート、および第１および第２のポリカーボネートシートの間に配置された複数のチャネルを画定するために第１および第２のポリカーボネートシートの間に配置された複数の支持部材を含有した。グレイジングパネル２Ａ（比較）と２Ｄ（本発明）は約６ｍｍの厚さであることが測定され、グレイジングパネル２Ｂ（比較）と２Ｅ（本発明）は約１０ｍｍの厚さであることが測定され、グレイジングパネル２Ｃ（比較）と２Ｆ（本発明）は約２０ｍｍの厚さであることが測定された。グレイジングパネル２Ｄ〜２Ｆ（本発明）を疎水性エーロゲル粒子で満たされた。グレイジングパネル２Ａ〜２Ｃ（比較）は疎水性エーロゲル粒子で満たされなかった（すなわち、チャネルは空気のみを含有した）。
【０１２０】
各グレイジングパネルのヘイズ値をウルトラスキャン（ＵＬＴＲＡＳＣＡＮ）（登録商標）ＸＥ分光光度計（ハンターラボアソシエーツ（HunterLab Associates）、レストン（Reston）、バージニア州から入手できる）を使用して測定した。これらの測定の結果を以下の表２に示す。
【０１２１】
表２．  グレイジングパネル２Ａ〜２Ｆの厚さ、充填物詳細、およびヘイズ値
【表２】
2007507633.tif 000002
【０１２２】
表２のデータは、本発明のグレイジングパネルが、疎水性エーロゲル粒子を含有しない同様のグレイジングパネルより固体ヘイズ値を示すことを証明する。特に本発明のグレイジングパネル（すなわち、グレイジングパネル２Ｄ〜２Ｆ）のヘイズ値（％で測定）は、疎水性エーロゲル粒子を含有しない同様のグレイジングパネル（すなわち、グレイジングパネル２Ａ〜２Ｃ）のヘイズ値より２倍またはそれ以上大きい。
【０１２３】
実施例３
本例は、他のグレイジングシステムと比較して本発明のグレイジングシステムの改良されたＵ値（すなわち、低い伝熱性）を証明する。４つのグレイジングシステム（グレイジングシステム３Ａ〜３Ｄ）のそれぞれを、２つの同様のＵ型のガラス要素を使用して作成した。ガラス要素はベース（これは約２６２ｍｍの長さであることが測定された）、およびベースから垂直に延びる２つの脚（この脚は約６０ｍｍの長さであることが測定された）を含有した。そこから各要素を作成したガラスは約７ｍｍの厚さであった。１つの要素の脚と他の要素のベースの内部表面との接触を避けるために、各脚の遠い端にポリマーガスケットを置いた。各ガラス要素の脚が、ガラス要素のベースから他のガラス要素のベースに向かうように、２つのＵ型のガラス要素を並べて、こうして２つのガラス要素の間の空洞を画定した。
【０１２４】
グレイジングシステム３Ａ（比較）は、ガラス要素により形成される空洞内に配置された断熱材料を含有しなかった。
【０１２５】
グレイジングシステム３Ｂ（比較）は、ガラス要素により形成される空洞内に配置された厚さが約２０ｍｍの剛性の断熱材料（オカペーン（Okapane）（登録商標）、オカルックス社（OkaLux ＧｍｂＨ）、マークハイデンフェルト−アルトフェルト（Markheidenfeld-Altfeld）、ドイツから入手できる）を含有した。オカペーン（Okapane）（登録商標）剛性断熱材料は、長さが約２０ｍｍで実質的に平行の関係で並べられた複数の中空のポリ（メチルメタクリレート）チューブを含有した。２つのガラス繊維マットをチューブの末端に接着させ、こうしてチューブが実質的にガラス繊維マットに垂直な剛性の断熱材料を形成した。
【０１２６】
グレイジングシステム３Ｃ（比較）は、ガラス要素により形成される空洞内に配置された厚さが約５０ｍｍの剛性の断熱材料（モニフレックス（Moniflex）（登録商標）、イソフレックス社（Isoflex ＡＢ）、グスタフス（Gustafs）、スエーデンから入手できる）を含有した。モニフレックス（Moniflex）（登録商標）剛性断熱材料は約１０層の波形の酢酸セルロース膜を含有し、そこで各膜のひだは隣接の膜のひだと実質的に垂直になるように配置された。酢酸セルロース膜の各層を糊付けして、剛性の断熱材を形成した。
【０１２７】
グレイジングシステム３Ｄ（本発明）は、厚さが約２０ｍｍであると測定された疎水性エーロゲル充填断熱パネルを含有した。この断熱パネルは、第１のポリカーボネートシート、第２のポリカーボネートシート、および第１および第２のポリカーボネートシートの間に配置された複数のチャネルを画定するために第１および第２のポリカーボネートシートの間に配置された複数の支持部材を含有した。疎水性エーロゲル粒子は、支持部材により形成されるチャネル内に配置された。
【０１２８】
各グレイジングシステムのＵ値をＡＳＴＭ基準Ｃ５１８−９８に従って測定した。かかる測定から得られたＵ値は、空気膜の熱耐性を考慮して補正しなかった。これらの測定の結果を以下の表３に示す。
【０１２９】
表３．  グレイジングシステム３Ａ〜３Ｄの断熱態様と厚さとＵ値
【表３】
2007507633.tif 000003
【０１３０】
表３のデータにより証明されるように、本発明のグレイジングシステムは、本発明の断熱パネルを含まない同様のグレイジングシステムより有意に低いＵ値を示す。特にグレイジングシステム３Ａと３ＤのＵ値の比較は、ガラス要素により形成される空洞内に配置された断熱材料を含有しないグレイジングシステム（すなわち、グレイジングシステム３Ａ）のＵ値は、本発明のグレイジングシステムのＵ値（すなわち、グレイジングシステム３Ｄ）より約２２０％大きいＵ値を示した。グレイジングシステム３Ｂ〜３ＤのＵ値の比較は更に、ガラス要素により形成される空洞内に配置された市販の断熱材料を含むグレイジングシステムのＵ値が、本発明のグレイジングシステム（すなわち、グレイジングシステム３Ｄ）のＵ値より約６０％（グレイジングシステム３Ｂ）および４０％（グレイジングシステム３Ｃ）大きいＵ値を示すことを証明した。
【０１３１】
本明細書で引用した全ての文献（刊行物、特許出願、および特許を含む）は、本発明においてあたかもその全体が参照することにより個別にかつ具体的に示されたのと同じ程度に、参照することにより本明細書に組み込まれる。
【０１３２】
用語「ａ」、「ａｎ」、「ｔｈｅ」、および本発明を説明する文脈（特に以下の請求項の文脈において）における同様の参照の使用は、特に明記しない場合は、または明らかに文脈と矛盾しない場合は、単数と複数の両方を含むものとする。用語「含む（comprising）」、「有する（having）」、「含む（including）」、および「含有する（containing）」は、特に明記しない場合は限度を設定しない用語（すなわち、「含むが、これに限定されない」）であると理解されたい。本明細書の値の範囲の記載は、特に明記しない場合は、その範囲内に入る各別個の値に個別に言及する簡単な方法として企図し、各別個の値は個々の記載されたように本明細書に取り込まれる。本明細書に記載の全ての方法は、特に明記しない場合は、または明らかに文脈と矛盾しない場合は、任意の適切な順序で実施することができる。本明細書の任意のかつ全ての例、例示的用語（例えば、「例えば」）は、本発明をより明らかにするためであり、特に明記しない場合は、本発明の範囲を限定するものではない。本明細書の用語は、本発明の実施位に必須の請求されていない要素を示すものと解してはならない。
【０１３３】
本発明の好適な実施態様が、本発明を実施するために本発明者が知る限り最良の方法で説明される。前記説明を読んだ後は、これらの好適な実施態様の変更態様は当業者に明らかであろう。本発明者は、当業者がかかる変更態様を適宜使用すると予測し、本発明者は、本発明が本明細書に記載のように実施されると考えている。従って本発明は、適用可能な法律により認められるように、本発明の請求の範囲で記載の主題の全ての変更態様および同等物を含む。更に全ての可能な変更態様における上記発現レベルの組合せは、特に明記しない場合は、または明らかに文脈と矛盾しない場合は、本発明に包含される。
【図面の簡単な説明】
【０１３４】
【図１】図１は、内部チャネルを画定する外壁と、内部チャネルに突き出た少なくとも１つの内壁とを含む、本発明の断熱パネルの透視断面図である。
【図２】図２は、内部チャネルを画定する外壁と、外壁の内表面の反対の部分から内部チャネルに突き出た複数の内壁とを含む、本発明の別の断熱パネルの透視断面図である。
【図３】図３は、内部チャネルを画定する外壁と、内部チャネルに突き出て少なくとも２つの別個の点で外壁の内表面に接触する少なくとも１つの内壁とを含む、本発明の断熱パネルの透視断面図である。
【図４】図４は、第１の熱可塑性シートと、第２の熱可塑性シートと、第１の熱可塑性シートと第２の熱可塑性シートとの間に配置された少なくとも１つのチャネルを画定するために、第１の熱可塑性シートと第２の熱可塑性シートとの間に配置された２つ以上の支持部材とを含む、本発明の断熱パネルの透視断面図である。
【図５】図５は、第１の熱可塑性シートと第２の熱可塑性シートとの間に第３の熱可塑性シートが配置された、図４に記載のパネルと類似の断熱パネルの透視断面図である。
【図６】図６は、チャネルの内容積の実質的に全てが疎水性エーロゲル粒子で満たされた、図５に記載のパネルと類似の断熱パネルの透視断面図である。
【図７】図７は、第１のＵ型要素と、第２のＵ型要素と、およびこれらの要素により形成される空洞内に配置された断熱パネルとを含む、本発明の断熱グレイジングシステムの透視断面図である。
【図８】図８は、断熱パネルは、断熱パネルの内部チャネルに突き出た少なくとも１つの内壁を更に含む、図７に記載のシステムと類似の断熱グレイジングシステムの透視断面図である。
【図９】図９は、少なくとも１つの内壁は、少なくとも２つの別個の点で外壁の内部表面を横切る、図８に記載のシステムと類似の断熱グレイジングシステムの透視断面図である。
【図１０】図１０は、第１の要素と、第２の要素と、これらの要素により形成される空洞内に配置された断熱パネルとを含む本発明の断熱グレイジングシステムであり、断熱パネルは、第２の熱可塑性シートと、第２の熱可塑性シートと、第１の熱可塑性シートと第２の熱可塑性シートとの間に配置された少なくとも１つのチャネルを画定するために、第１の熱可塑性シートと第２の熱可塑性シートとの間に配置された２つ以上の支持部材とを含むシステムの透視断面図である。
【図１１】図１１は、断熱パネルは更に、第１の熱可塑性シートと第２の熱可塑性シートとの間に配置された第３の熱可塑性シートを含む、図１０に記載のシステムと類似の断熱グレイジングシステムの透視断面図である。
【図１２】図１２は、グレイジングシステムは更に、要素の間に配置された密閉剤を含む、図１０に記載のシステムと類似の断熱グレイジングシステムの透視断面図である。
【図１３】図１３は、密閉剤は断熱パネルの周囲に接着された、図１０に記載のシステムと類似の断熱グレイジングシステムの透視断面図である。
【図１４】図１４は、密閉剤は断熱パネルの周囲に接着され、密閉剤はまた要素の間に配置された、図１０に記載のシステムと類似の断熱グレイジングシステムの透視断面図である。
【図１５】図１５は、図１４に記載の断熱グレイジングシステムを含むモジュラー断熱グレイジングシステムの断面図である。